(57)【要約】【課題】位置計測用光源の特性を評価することができる位置計測用光源の品質管理方法および半導体製造装置を提供する。【解決手段】位置計測用光源の品質管理方法によれば、高さの異なる複数のマークに位置計測用光源の光を照射して、前記マークの高さと、前記マークで反射した光の強度との関係を計測し、前記計測により取得した計測データを、前記マークの高さと、複数の波長ごとの反射光の強度との関係を表す参照データに照合し、前記位置計測用光源の波長を特定する。【選択図】図４
2019168507.tif 000002
【特許請求の範囲】
【請求項１】
高さの異なる複数のマークに位置計測用光源の光を照射して、前記マークの高さと、前記マークで反射した光の強度との関係を計測し、
前記計測により取得した計測データを、前記マークの高さと、複数の波長ごとの反射光の強度との関係を表す参照データに照合し、前記位置計測用光源の波長を特定する位置計測用光源の品質管理方法。
【請求項２】
前記マークは、ウェーハまたはウェーハステージに設けられた請求項１記載の位置計測用光源の品質管理方法。
【請求項３】
前記マークの高さは、前記位置計測用光源の仕様波長の１／１５以上１／１０以下の範囲内で、３以上５以下のステップで変化している請求項１または２に記載の位置計測用光源の品質管理方法。
【請求項４】
位置計測用光源と、
高さの異なる複数のマークに前記位置計測用光源の光を照射して、前記マークの高さと、前記マークで反射した光の強度との関係を計測し、前記計測により取得した計測データを、前記マークの高さと、複数の波長ごとの反射光の強度との関係を表す参照データに照合し、前記位置計測用光源の波長を特定する制御部と、
を備えた半導体製造装置。
【請求項５】
前記参照データを記憶した記憶部をさらに備えた請求項４記載の半導体製造装置。
【請求項６】
前記複数のマークが設けられたウェーハステージをさらに備えた請求項４または５に記載の半導体製造装置。
【発明の詳細な説明】
【技術分野】
【０００１】
本発明の実施形態は、位置計測用光源の品質管理方法および半導体製造装置に関する。
【背景技術】
【０００２】
例えば半導体露光装置は、露光用光源とは別に位置計測用光源を搭載している。位置計測用光源でウェーハに形成されたマークまたはパターンを読み取ることで、ウェーハ面内におけるパターンの位置合わせずれ量を計測することができる。
【先行技術文献】
【特許文献】
【０００３】
【特許文献１】特開２０１１−１０８６９１号公報
【発明の概要】
【発明が解決しようとする課題】
【０００４】
本発明の実施形態は、位置計測用光源の特性を評価することができる位置計測用光源の品質管理方法および半導体製造装置を提供する。
【課題を解決するための手段】
【０００５】
本発明の実施形態に係る位置計測用光源の品質管理方法によれば、高さの異なる複数のマークに位置計測用光源の光を照射して、前記マークの高さと、前記マークで反射した光の強度との関係を計測し、前記計測により取得した計測データを、前記マークの高さと、複数の波長ごとの反射光の強度との関係を表す参照データに照合し、前記位置計測用光源の波長を特定する。
【図面の簡単な説明】
【０００６】
【図１】（ａ）は実施形態に係る露光装置の構成を示すブロック図であり、（ｂ）は実施形態に係る検査装置の構成を示すブロック図である。
【図２】実施形態に係る位置計測用光源の品質管理装置の構成を示すブロック図である。
【図３】ウェーハステージおよびウェーハステージ上のウェーハの模式上面図である。
【図４】実施形態に係る位置計測用光源の品質管理方法のフローチャートである。
【図５】ウェーハステージまたはウェーハに設けられた実施形態に係るマークの模式断面図である。
【図６】（ａ）はマークの高さと複数の波長ごとの反射光強度との関係を表す参照データの一例を表すグラフであり、（ｂ）は、マークの高さとマークで反射した位置計測用光源の光の強度との関係を表す計測データの一例を表すグラフである。
【発明を実施するための形態】
【０００７】
以下、図面を参照し、本発明の実施形態について説明する。各図において、同じ要素には同じ符号を付して詳細な説明は適宜省略する。なお、図面は模式的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。
【０００８】
図１（ａ）は、実施形態に係る半導体製造装置の構成を示すブロック図である。図１（ａ）には、例えば半導体露光装置１を例示する。  
図２は、実施形態に係る位置計測用光源の品質管理装置４０の構成を示すブロック図である。  
図３は、ウェーハステージ１００、およびウェーハステージ１００上に保持されたウェーハＷの模式上面図である。
【０００９】
図１（ａ）に示すように、実施形態に係る半導体露光装置１は、露光用光源１１と、位置合わせ装置２０とを有する。また、半導体露光装置１は、図３に示すウェーハステージ１００を有する。
【００１０】
位置合わせ装置２０は、位置計測用光源３０と、その位置計測用光源３０の品質管理装置４０とを有する。
【００１１】
露光用光源１１は、フォトマスクを通してウェーハＷにパターン潜像を転写するための光源である。位置計測用光源３０は、ウェーハＷに形成された位置合わせ用のマークまたは下地パターンを読み取り、フォトマスクなどに対するウェーハＷの位置合わせを行うための光源である。
【００１２】
図２に示すように、位置計測用光源の品質管理装置４０は、制御部５０と、記憶部６０とを有する。制御部５０は、計測部５１と、計測結果処理部５２と、データベース照合部５３と、波長特定部５４とを有する。
【００１３】
次に、図４のフローチャートを参照して、実施形態に係る位置計測用光源の品質管理方法について説明する。
【００１４】
ウェーハＷまたはウェーハステージ１００には、高さの異なる複数のマークが形成される。
【００１５】
図５は、そのマーク８１の模式断面図である。
【００１６】
マーク８１は、交互に周期的に配列された複数の凸部と複数の凹部とを含む凹凸パターンである。また、マーク８１は、高さの異なる複数の凸部８１ａ、８１ｂ、８１ｃを含む。図５に示す例では、凸部８１ｂの高さは凸部８１ａの高さよりも高く、凸部８１ｃの高さは凸部８１ｂの高さよりも高い。
【００１７】
マーク８１の高さは、凸部８１ａ、８１ｂ、８１ｃの高さを表す。また、マークは、凹凸パターンと、その凹凸パターンを被覆する膜とを有する構造でもよい。その場合、マークの高さは、凹凸パターンを被覆する膜の厚さとしても表すことができる。
【００１８】
マーク８１の高さは、位置計測用光源３０の仕様波長の１／１５以上１／１０以下の範囲内で、３以上５以下のステップで変化している。
【００１９】
図４におけるステップＳ１においては、ウェーハＷまたはウェーハステージ１００に形成されたマーク８１の高さと、複数の波長ごとの回折光強度との関係をデータベース化し、参照データとして記憶部６０に記憶する。
【００２０】
図６（ａ）は、その参照データの一例を表すグラフである。
【００２１】
横軸は、マークの高さを表す。縦軸は、マークで回折し反射した回折光の強度を表す。複数の波長、例えば、８３０ｎｍ、８４０ｎｍ、８４５ｎｍ、８５０ｎｍ、８５５ｎｍ、８６０ｎｍ、８７０ｎｍの７通りの波長のそれぞれについて、回折光強度をシミュレーションで求めた。
【００２２】
なお、この参照データは、半導体露光装置１に備わった記憶部６０ではなく、外部の記憶部に記憶してもよい。
【００２３】
ステップＳ２では、マーク８１に、位置計測用光源３０の光を照射して、そのマーク８１で回折し反射した回折光の強度を計測する。この計測は、図２に示す計測部５１が実行する。
【００２４】
そして、ステップＳ３において、計測結果処理部５２は、マーク８１の高さと、上記回折光の強度との関係をグラフ化し、計測データとして取得する。
【００２５】
図６（ｂ）は、その計測データの一例を表すグラフである。
【００２６】
横軸は、マーク８１の高さを表す。縦軸は、マーク８１で回折し反射した位置計測用光源３０の回折光の強度を表す。
【００２７】
次に、ステップＳ４において、データベース照合部５３は、計測データ（図６（ｂ）に示すグラフ）を、参照データ（図６（ａ）に示すグラフ）と照合する。
【００２８】
この照合処理を受けて、ステップＳ５において、波長特定部５４は、位置計測用光源３０の波長（例えば中心波長）を特定し、出力する。例えば、図６（ａ）に示す参照データの中から、図６（ｂ）に示すグラフの形状やピーク波長と一致または近似するデータが抽出され、位置計測用光源３０の波長を特定することができる。
【００２９】
一般に、半導体製造装置に搭載された位置計測用光源は、露光用光源などに比べて高い品質管理が要求されない傾向にあった。例えば半導体製造装置のメンテナンス時に位置計測用光源を評価することは可能であったが、装置搭載後に位置計測用光源の特性を常時モニタすることは困難であった。
【００３０】
これに対して、本発明の実施形態によれば、半導体製造装置のダウンタイムなしで位置計測用光源の特性を常時モニタ可能となる。例えば、位置計測用光源の波長が、仕様で定められた波長からずれていることがわかれば、そのずれをフィードバックして位置計測用光源をキャリブレーションすることも可能となる。
【００３１】
また、ウェーハに形成された位置合わせ用のマークまたはパターンの加工ばらつきによっては、位置計測用光源を用いた位置合わせずれ量の計測に誤りが生じうる。この位置合わせずれ量の計測誤りの程度は、位置計測用光源の波長によって変動しやすい。計測誤りが生じにくい波長と、生じやすい波長とがある。
【００３２】
そこで、実施形態のように位置計測用光源の波長を特定できれば、その波長と計測誤り量との相関関係に基づいて、計測誤りをキャンセルすることも可能である。
【００３３】
以上説明した実施形態では、半導体製造装置として半導体露光装置を例示したが、半導体製造装置は図１（ｂ）に示すように半導体検査装置２であってもよい。
【００３４】
この半導体検査装置２も、前述した半導体露光装置１と同様、位置計測用光源３０と、この位置計測用光源３０の品質管理装置４０とを含む位置合わせ装置２０を有している。そして、図４のフローにしたがって、位置計測用光源３０の波長を特定することができる。
【００３５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３６】
２０…位置合わせ装置、３０…位置計測用光源、４０…位置計測用光源の品質管理装置、８１…マーク、８１ａ，８１ｂ，８１ｃ…凸部、１００…ウェーハステージ、Ｗ…ウェーハ
【図１】
2019168507.tif 000003
【図２】
2019168507.tif 000004
【図３】
2019168507.tif 000005
【図４】
2019168507.tif 000006
【図５】
2019168507.tif 000007
【図６】
2019168507.tif 000008